(57)【要約】【課題】特賞を発生させるスタートに関する指数を確実に管理することができるパチンコ機の管理装置を提供する。【解決手段】集中管理装置は、特賞直前の保留玉数を経験値に基づいて求め、その保留玉数を特賞直後の保留玉数から差引くことにより特賞中に増加した累計の保留玉数を求める。そして、パチンコ機毎の累計のスタート回数から特賞中に増加した累計の保留玉数を差引くことにより累計のスタート回数を求め、斯様にして求めた累計のスタート回数に基づいて平均スタート回数を求めることができる。この場合、特賞直前の保留玉数を求める経験値の精度を高めることにより、特賞中に増加した保留玉数、ひいては平均スタート回数の信頼性を高めることができる。【選択図】　図４
2004024500.tif 000002
【特許請求の範囲】
【請求項１】
スタート入賞に応じて特賞を発生させると共に、スタート中にスタート入賞したときはスタートの権利を保留し、スタートが終了してから保留権利を順に実行するパチンコ機のスタートに関する指数を管理する管理装置において、
特賞中に増加した保留権利数を経験値に基づいて求め、累計のスタート回数から上記保留権利数を差引いた数値に基づいてスタートに関する指数を演算することを特徴とするパチンコ機の管理装置。
【発明の詳細な説明】
【０００１】
【発明の属する技術分野】
本発明は、スタート入賞に応じて特賞を発生させると共に、スタート中にスタート入賞したときはスタートの権利を保留し、スタートが終了してから保留権利を順に実行するパチンコ機のスタートに関する指数を管理する管理装置に関する。
【０００２】
【発明が解決しようとする課題】
従来より、パチンコホールでは、釘調整を行うための指数の一つとして、単位時間（例えば１０分間）当たりの平均スタート回数を用いるようにしている。この平均スタート回数は、多くのパチンコホールにおいて用いられている指数で、特賞確率・ベースとも連動している数値であるため、パチンコホールの利益をコントロールする上で基準となる数値であり、この数値を正確に求めることが経営上特に必要である。従って、パチンコホールでは、管理装置により、パチンコ機毎の累計の保留玉数を求めることにより平均スタート回数を求め、それに基づいてパチンコ機の釘調整を行うようにしている。
【０００３】
ところで、パチンコ機では、スタート中にスタート入賞孔にパチンコ玉が入賞したときは、スタートの権利を一旦保留し、スタートが終了したところでスタートの保留権利、所謂保留玉を順に実行するようにしている。この場合、最大保留玉数は例えば４個に設定されており、それを上回る保留玉数は無効となる。
【０００４】
一方、特賞中においてスタート入賞孔にパチンコ玉が入賞したときもスタートの権利は保留されることから、特賞の終了直後における保留玉数は最大保留玉数である４個となっているのが通常であり、特賞が終了してから保留玉が順に実行される。
【０００５】
しかしながら、特賞中に増加した保留玉数を通常の保留玉数に含めて管理すると、上述した平均スタート回数に誤差を生じる。このため、平均スタート回数に基づく釘調整が不確実となり、目標の平均スタート回数が実際の平均スタート回数から大きく外れ、パチンコホールの売上げに影響を及ぼす虞がある。特に、最大保留玉数の上限が高くなるほど、このような問題が顕著となり、保留玉数の引き上げが望まれているという実情では、早急の対応が望まれている。
【０００６】
本発明は上記事情に鑑みてなされたものであり、その目的は、特賞を発生させるスタートに関する指数を確実に管理することができるパチンコ機の管理装置を提供することにある。
【０００７】
【課題を解決するための手段】
本発明は、スタート入賞に応じて特賞を発生させると共に、スタート中にスタート入賞したときはスタートの権利を保留し、スタートが終了してから保留権利を順に実行するパチンコ機のスタートに関する指数を管理する管理装置において、特賞中に増加した保留権利数を経験値に基づいて求め、累計のスタート回数から上記保留権利数を差引いた数値に基づいてスタートに関する指数を演算するものである（請求項１）。
【０００８】
このような構成によれば、特賞中に増加した保留権利数を経験値に基づいて求めるようにしたので、特賞中に増加した保留権利数を求めることができる。この場合、経験値の信頼性を高めることにより累計のスタート回数から特賞中に増加した保留権利数を差引いた数値に基づいてスタートに関する指数を正確に演算することができる。
【０００９】
【発明の実施の形態】
以下、本発明の一実施の形態について説明する。
図１は、全体構成を概略的に示している。この図１において、パチンコ機１に隣接して台間玉貸ユニット２が設けられている。この台間玉貸ユニット２は表示装置３を備えており、遊技客の操作に応じて遊技客が遊技しているパチンコ機１の稼動状態を表示したり、所望のパチンコ機１の稼動状態を表示したり、さらには遊技客が会員の場合は、遊技客の過去の遊技履歴を表示可能となっている。
【００１０】
２台のパチンコ機１及び台間玉貸ユニット２に対応してＩＯ装置４が設けられており、そのＩＯ装置４を通じて集中管理装置５が台間玉貸ユニット２毎の売上げを管理したり、パチンコ機１毎の稼動状態を管理したりするようになっている。
【００１１】
図２はパチンコ機１を示している。この図２において、パチンコ機１には操作ハンドル６が設けられており、その操作ハンドル６に対する操作により玉受皿７に貯留されているパチンコ玉を盤面８に発射することができる。
盤面８には複数の入賞孔９が設けられており、入賞孔９にパチンコ玉が入賞したときは所定数のセーフ玉が玉受皿７に放出される。
【００１２】
また、盤面８には表示部１０及びスタート入賞孔１１が設けられており、スタート入賞孔１１にパチンコ玉が入賞したときはゲームの開始となり、表示部１０に表示されている図柄パターンが更新表示される。この場合、表示部１０に更新表示された図柄パターンが特賞図柄パターンとなったときは、特賞の発生となり大入賞孔１２を所定条件が成立するまで開放するようになっている。従って、特賞が発生したときは、多数のセーフ玉が玉受皿７に放出されるので、遊技客は、多数のセーフ玉を短時間で獲得することができる。
ここで、表示部１０の上方には保留ランプ１３が設けられており、保留玉数を表示するようになっている。この場合、最大保留玉数は４個に設定されている。
【００１３】
図３はパチンコ機１の制御装置を概略的に示している。この図３において、制御装置１４はＣＰＵ１５を主体として構成されており、ＣＰＵ１５は、電源回路１６からの給電状態でリセット回路１７によるリセットが解除された場合に、ＲＯＭ１８に記憶されたプログラムに基づいて動作すると共に、ＲＡＭ１９にワーキングデータを記憶する。また、ＣＰＵ１５は、スタート入賞孔１１への入賞を検出するためのスタート入賞検出器２０及び大入賞孔１２への入賞を検出するための大入賞検出器２１からの検出信号を入力回路２２を通じて入力するようになっている。そして、ＣＰＵ１５は、出力回路２３を通じて保留玉数に応じて保留ランプ１３を点灯すると共に、適宜タイミングで大入賞孔１２を駆動し、さらにスピーカ２４から効果音を発生させる。
【００１４】
また、ＣＰＵ１５は、表示部駆動回路２５を通じて当選図柄を表示部１０に表示すると共に、現在の動作状態を示す各種信号（アウト信号、セーフ信号、スタート信号、特賞信号）を情報出力部２６を通じて集中管理装置５に出力する。情報出力部２６から集中管理装置５に出力される信号としては、以下の信号が設定されている。
【００１５】
（１）スタート入賞信号……スタート入賞孔１１にパチンコ玉が入賞したときに１パルス出力
（２）スタート信号……図柄の変動が開始したときに１パルス出力
（３）図柄変動中信号……表示部１０の図柄が変動している間レベル信号を出力
（４）特賞信号……特賞中レベル信号を出力
（５）アウト信号……打込まれたアウト玉が排出される毎に１パルス出力
（６）セーフ信号……セーフ玉が払出される毎に１パルス出力
（７）稼働信号……操作ハンドル２が操作されている間レベル信号を出力
【００１６】
一方、集中管理装置５は、パチンコ機１から出力される各種信号に基づいてパチンコ機１毎の稼働状態を判断し、本発明に関連して以下の管理データを作成するようになっている。
（１）累計アウト……パチンコ機に打込まれたパチンコ玉の累計
（２）累計特賞中アウト……特賞中にパチンコ機に打込まれたパチンコ玉の累計
（３）累計スタート……図柄変動した累計数
（４）特賞中保留玉数……特賞中に増加した保留玉数の累計
（５）補正スタート回数……特賞外における単位時間の平均スタート回数
【００１７】
ところで、特賞中においてパチンコ玉がスタート入賞孔９に入賞したときは、スタート権利の保留となることから、特賞中の保留玉数を通常の保留玉数に含めて管理した場合には、平均スタート回数が特賞中以外における単位時間中の平均スタート回数と異なってしまう。このことは、集中管理装置５が管理する平均スタート回数でもって釘調整を実行したときは、釘調整したパチンコ機１の平均スタート回数が目標の平均スタート回数から大きくずれてしまう虞があることを意味している。
【００１８】
具体的には、ベースのアウトが５００００個、特賞が３０回のパチンコ機１において、平均スタート回数が６２．４回であると仮定すると、１０分間のアウト数は１０００であることから、累計スタート回数は、６２．４×５００００／１０００＝３１２０（回）となる。この累計スタート回数には特賞中に増加した保留玉数による増加も含まれることから、従来の方法で求めた平均スタート回数は実際の値よりも大きくなっている。この場合、特賞回数は３０回であることから、特賞中の累計のスタート回数は３０×４＝１２０回となり、その分だけ、集中管理装置５が管理する特賞中の累計の保留玉数、ひいては平均スタート回数が増加していることになる。
【００１９】
ここで、特賞直前の保留玉数による有効スタートに対する影響を考察する。
Ａ．保留なしの状態で特賞となった場合（４個除外の場合）
特賞中の増加スタート回数は３０×４＝１２０
実質スタート回数は３１２０−１２０＝３０００
平均スタート回数は３０００／（５００００／１０００）＝６０．０
Ｂ．保留１個の状態で特賞となった場合（３個除外の場合、図４参照）
特賞中の増加スタート回数は３０×３＝９０
実質スタート回数は３１２０−９０＝３０３０
平均スタート回数は３０３０／（５００００／１０００）＝６０．６
Ｃ．保留２個の状態で特賞となった場合（２個除外の場合）
特賞中の増加スタート回数は３０×２＝６０
実質スタート回数は３１２０−６０＝３０６０
平均スタート回数は３０６０／（５００００／１０００）＝６１．２
Ｄ．保留３個の状態で特賞となった場合（１個除外の場合）
特賞中の増加スタート回数は３０×１＝３０
実質スタート回数は３１２０−３０＝３０９０
平均スタート回数は３０９０／（５００００／１０００）＝６１．８
Ｅ．保留４個の状態で特賞となった場合（補正無しの場合）
実質スタート回数は３１２０
平均スタート回数は３１２０／（５００００／１０００）＝６２．４
【００２０】
要するに、特賞直前の保留玉数によって平均スタート回数が影響を受けていることが分る。上記の例では、平均スタート回数が６０回となるように設定されたパチンコ機１における保留玉数の差による例を示しているが、景品との交換率が高いパチンコホールの場合には、平均スタート回数は低くなるように釘調整がなされていることから、保留無しで特賞が発生しやすくなる。このため、累計スタート回数は少なくなるため、さらに大きく狂い、釘調整が困難となることが予想される。
【００２１】
一方、平均スタート回数を大きく設定した場合であっても、最大保留玉数が大きく設定されている場合は、平均スタート回数の誤差が大きくなり、釘調整が困難となる。しかも、最大保留玉数が高められたとき、さらには最大保留玉数が撤廃されたときは、その影響は大きく、平均スタート回数による釘調整は不可能となる。
【００２２】
そこで、本実施の形態では、次のようにして集中管理装置５が管理する平均スタート回数が実際の平均スタート回数と一致するようにした。
即ち、集中管理装置５は、補正スタート回数を（累計スタート−（特賞回数×補正係数））／（アウト−特賞中の累計アウト）に基づいて求めるものである。この場合、補正係数とは、特賞中に保留される玉数を平均化した数値として経験的に算出して代入するもので、平均的に特賞直前の保留玉数が１．５個であるとすると、特賞直後の保留玉数が４個であることから、補正係数は２．５となる。この補正係数は、実際のデータに基づいて決定されることから、信頼性が高い数値である。
【００２３】
そして、集中管理装置５は、パチンコ機１毎の累計のスタート回数から特賞中に増加した累計の保留玉数を差引くことにより累計のスタート回数を精度よく求めることができるものであり、このようにして求めた累計のスタート回数に基づいて平均スタート回数を正確に求めることができる。
【００２４】
このような実施の形態によれば、集中管理装置５は、特賞直前の保留玉数を経験値に基づいて求め、累計のスタート回数から特賞中に増加した累計の保留玉数を差引くことにより累計のスタート回数を推測するようにしたので、斯様にして求めた累計のスタート回数に基づいて最終的に平均スタート回数を正確に求めることができる。従って、平均スタート回数に誤差を有する従来例のものと違って、平均スタート回数に基づいて釘調整を適切に行うことができる。
【００２５】
しかも、特賞中に増加した累計の保留玉数を正確に求めることが可能な結果、最大保留玉数が引き上げられた場合、さらには最大保留玉数が撤廃された場合であっても、平均スタート回数を正確に求めることができ、釘調整を正確に行うことができる。
また、特賞直前の保留玉数を推測するようにしたので、パチンコ機１が保留玉数を示す信号を出力しない構成であっても容易に実施することができる。
【００２６】
本発明は、上記各実施の形態に限定されるものではなく、次のように変形または拡張できる。
最大保留玉数が５以上に設定されている場合、或は撤廃されている場合は、特賞終了直後の保留玉数を経験値から求めることにより特賞中に増加した累計の保留玉数を求めるようにしてもよい。
【００２７】
【発明の効果】
本発明は以上の説明から明らかなように、特賞中に増加した保留権利数を経験値に基づいて求め、累計のスタート回数から上記保留権利数を差引いた数値に基づいてスタートに関する指数を演算するようにしたので、特賞を発生させるスタートに関する指数を確実に管理することができ、スタートに関する指数に基づいて釘調整を適切に行うことができるという優れた効果を奏する。
【図面の簡単な説明】
【図１】本発明の一実施の形態における全体構成を示す概略図
【図２】パチンコ機の正面図
【図３】パチンコ機の制御装置を示すブロック図
【図４】保留玉数の変化を示す図
【符号の説明】
１はパチンコ機、５は集中管理装置、１３は保留ランプである。
【図１】
2004024500.tif 000003
【図２】
2004024500.tif 000004
【図３】
2004024500.tif 000005
【図４】
2004024500.tif 000006